(57)【要約】【課題】現場調査を効率よく行うことができる現場調査支援システムを提供する。【解決手段】現場調査支援システム１は、管理サーバ２と、調査員が携帯する調査用端末３とで構成される。管理サーバ２は、地図情報を記録する地図情報データベース４と、地図情報データベース４に記録された地図情報と、調査員に関する情報とを対応させて記録する調査員情報データベース５と、地図情報データベース４に記録された地図情報を、調査用端末３に送信する地図情報送信手段６と、調査用端末３から送信された調査結果情報と、調査員情報データベース５に記録された調査員情報とを対応させて記録する調査結果情報データベース７とを有する。【選択図】図１
2011060074.tif 000002
【特許請求の範囲】
【請求項１】
地図情報を記録する地図情報記録手段と、
該地図情報記録手段に記録された地図情報と、調査員に関する情報とを対応させて記録する調査員情報記録手段と、
前記地図情報記録手段に記録された地図情報を、調査員が携帯する調査用端末に送信する地図情報送信手段と、
該地図情報送信手段によって送信された地図情報と、現場の情報とに基づいて得られた調査結果情報を前記調査用端末から受信する調査結果情報受信手段と、
該調査結果情報受信手段によって受信した調査結果情報と、前記調査員情報記録手段に記録された調査員情報とを対応させて記録する調査結果情報記録手段とを有する管理サーバによって現場の調査を支援する
現場調査支援システム。
【請求項２】
前記調査用端末は全地球測位システム機能を有し、
前記調査員情報記録手段は、前記調査用端末から取得した調査用端末の時間ごとの位置情報を記録し、
前記調査結果情報は、調査対象の撮像画像情報を含み、
前記調査用端末の時間ごとの位置情報は、前記調査対象を撮像した時間と対応する
請求項１に記載の現場調査支援システム。
【請求項３】
前記調査結果情報記録手段は、調査結果情報を種類別に記録する
請求項１または請求項２に記載の現場調査支援システム。
【請求項４】
前記地図情報記録手段に記録された地図情報は、調査対象に関する情報を含む
請求項１〜３のいずれか１つに記載の現場調査支援システム。
【請求項５】
前記地図情報記録手段に記録された地図情報は、所定の範囲の単位エリアごとに区分けされており、
前記調査員情報記録手段は、前記単位エリアと、調査員が調査する現場とを対応させて記録する
請求項１〜４のいずれか１つに記載の現場調査支援システム。
【請求項６】
地図情報を記録する地図情報記録手段と、
該地図情報記録手段に記録された地図情報と、調査員に関する情報とを対応させて記録する調査員情報記録手段と、
前記地図情報記録手段に記録された地図情報を、調査員が携帯する調査用端末に送信する地図情報送信手段と、
前記調査用端末から送信された調査結果情報と、前記調査員情報記録手段に記録された調査員情報とを対応させて記録する調査結果情報記録手段とを有する管理サーバと、
前記地図情報送信手段によって送信された地図情報と、現場の情報とに基づいて調査結果情報を作成する調査結果情報作成手段と、
該調査結果情報作成手段によって作成された調査結果情報を前記管理サーバに送信する調査結果情報送信手段とを有する前記調査用端末とによって現場の調査を支援する
現場調査支援システム。
【発明の詳細な説明】
【技術分野】
【０００１】
本発明は現場調査支援システムに関する。詳しくは、例えば現場での交通標識の調査を支援する現場調査支援システムに係るものである。
【背景技術】
【０００２】
調査員が実際に現場（フィールド）に出て、マーケティングリサーチや広告調査などの調査を行なう、現場調査（フィールド調査）がある。
また、マーケティングリサーチのためにアンケート調査を行なう場合は、街頭などにおいて調査員が不特定多数の者にアンケート調査票を配って回答を求める。また、回収した調査票は光学的にまとめて読み取られるので、調査票自体の形状や寸法が特定のものに限定され、自由なレイアウトに配置し難かった。
【０００３】
そこで、例えば特許文献１には、図５に示すようなアンケート調査票が記載されている。即ち、特許文献１に記載のアンケート調査票Ａは、略矩形シート状の調査票本体の上部にアンケート事項１０１を設け、アンケート事項１０１の下方に、複数の具体的回答内容を併記すると共に、具体的回答内容の文頭に小さな正方形状の記入枠１０３を夫々配した回答選択欄１０２を矩形枠内に設け、回答選択欄１０２内の具体的回答内容に対応する夫々のマイクロバーコード１０４を、回答選択欄１０２の外にかつ記入枠１０３近傍に配して、第１のアンケート調査部分を構成してある。
また、第１のアンケート調査部分の下方に別のアンケート事項１０５を設け、アンケート事項１０５の下方に、複数の具体的質問内容を併記した選択欄１０６と、複数の具体的回答内容を併記した回答項目欄１０７と、所定数の小さな正方形状の記入枠１０９を配してなる回答選択欄１０８とを設け、質問欄１０６の具体的質問内容と回答項目欄１０７の具体的回答内容とに対応する夫々のマイクロバーコード１１０を、回答選択欄１０８内にかつ記入枠１０９近傍に配して、第２のアンケート調査部分を構成してある。
このようなアンケート調査票により、一枚のアンケート調査票からより多くのデータが得られ、アンケートの質問内容や回答内容などに応じて、アンケート事項、回答選択欄、記入枠、およびマイクロバーコードを任意のレイアウトで配置できる。
【先行技術文献】
【特許文献】
【０００４】
【特許文献１】実用新案登録第３０３３４１６号公報
【発明の概要】
【発明が解決しようとする課題】
【０００５】
ところで、調査員が実際に現場に出て調査する現場調査には、街路灯の調査や道路交通標識の調査があるが、このような調査は、調査員が紙に印刷された地図を持って、現場を調査しているのが現状である。また、紙を用いた調査は、下記のような問題がある。
（１）調査結果は、調査員の手によって書き込まれるので、コンピュータへの入力作業時に判別しづらい。
（２）大量の紙を用いているので、調査の進捗状況を管理するために常に「数える」という作業が必要であり、数え間違えることが多々ある。
（３）紙の調査結果からコンピュータへの入力作業に大きな労力を要し、入力ミスや入力漏れも多々ある。
このように、紙を用いた調査は、作業負担が大きく、効率よく現場調査を行なうことができるシステムが望まれていた。
【０００６】
本発明は、以上の点に鑑みて創案されたものであり、現場調査を効率よく行うことができる現場調査支援システムを提供することを目的とする。
【課題を解決するための手段】
【０００７】
上記の目的を達成するために、本発明の現場調査支援システムは、地図情報を記録する地図情報記録手段と、該地図情報記録手段に記録された地図情報と、調査員に関する情報とを対応させて記録する調査員情報記録手段と、前記地図情報記録手段に記録された地図情報を、調査員が携帯する調査用端末に送信する地図情報送信手段と、該地図情報送信手段によって送信された地図情報と、現場の情報とに基づいて得られた調査結果情報を前記調査用端末から受信する調査結果情報受信手段と、該調査結果情報受信手段によって受信した調査結果情報と、前記調査員情報記録手段に記録された調査員情報とを対応させて記録する調査結果情報記録手段とを有する管理サーバによって現場の調査を支援する。
【０００８】
ここで、地図情報記録手段に記録された地図情報と、調査員に関する情報とを対応させて記録する調査員情報記録手段によって、調査員のスケジュール管理を行ないやすい。
また、調査結果情報受信手段によって受信した調査結果情報と、調査員情報記録手段に記録された調査員情報とを対応させて記録する調査結果情報記録手段によって、調査の進捗管理を行ないやすい。
【０００９】
また、本発明の現場調査支援システムにおいて、調査用端末は全地球測位システム機能を有し、調査員情報記録手段は、調査用端末から取得した調査用端末の時間ごとの位置情報を記録し、調査結果情報は、調査対象の撮像画像情報を含み、調査用端末の時間ごとの位置情報は、調査対象を撮像した時間と対応することができる。
この場合、調査員情報記録手段は、調査用端末から取得した調査用端末の時間ごとの位置情報を記録するので、調査員の足どりを管理できる。
また、調査用端末の時間ごとの位置情報は、調査対象を撮像した時間と対応するので、調査結果情報に含まれる調査対象の撮像画像情報を、調査結果情報の地図の対応する位置に反映させることができる。
【００１０】
さらに、本発明の現場調査支援システムにおいて、調査結果情報記録手段は、調査結果情報を種類別に記録する場合、調査結果情報を仕分ける負担が軽減される。
【００１１】
また、本発明の現場調査支援システムにおいて、地図情報記録手段に記録された地図情報は、調査対象に関する情報を含む場合、現場での調査の結果、調査対象に関する情報が正しければ、調査員が調査用端末を用いて地図情報を修正する必要がないので、作業負担を軽減できる。
【００１２】
また、本発明の現場調査支援システムにおいて、地図情報記録手段に記録された地図情報は、所定の範囲の単位エリアごとに区分けされており、調査員情報記録手段は、単位エリアと、調査員が調査する現場とを対応させて記録する場合、単位エリアごとに管理を行なうことができる。
【００１３】
また、上記の目的を達成するために、本発明の現場調査支援システムは、地図情報を記録する地図情報記録手段と、該地図情報記録手段に記録された地図情報と、調査員に関する情報とを対応させて記録する調査員情報記録手段と、前記地図情報記録手段に記録された地図情報を、調査員が携帯する調査用端末に送信する地図情報送信手段と、前記調査用端末から送信された調査結果情報と、前記調査員情報記録手段に記録された調査員情報とを対応させて記録する調査結果情報記録手段とを有する管理サーバと、前記地図情報送信手段によって送信された地図情報と、現場の情報とに基づいて調査結果情報を作成する調査結果情報作成手段と、該調査結果情報作成手段によって作成された調査結果情報を前記管理サーバに送信する調査結果情報送信手段とを有する前記調査用端末とによって現場の調査を支援する。
【発明の効果】
【００１４】
本発明に係る現場調査支援システムによって、現場調査を効率よく行うことができる。
【図面の簡単な説明】
【００１５】
【図１】本発明の現場調査支援システムの一構成例を示す概略図である。
【図２】本発明の現場調査支援システムによる調査の流れの一例を説明する概略図である。
【図３】本発明の現場調査支援システムの管理サーバに記録された地図情報の一例を説明する概略図である。
【図４】本発明の現場調査支援システムの調査員情報データベースに記録された情報の一例を説明する概略図である。
【図５】従来のアンケート調査票を示す概略図である。
【発明を実施するための形態】
【００１６】
以下、本発明の実施の形態について図面を参照しながら説明し、本発明の理解に供する。
以下、調査対象が道路交通標識である場合を例に挙げて説明するが、調査対象がこれに限定されるものではないことは勿論である。
図１は、本発明の現場調査支援システムの一構成例を示す概略図である。
本発明の現場調査支援システム１は、管理サーバ２と、調査員が携帯する調査用端末３とで構成される。
また、管理サーバ２は、地図情報を記録する地図情報データベース（地図情報記録手段の一例である。）４を有する。
さらに、管理サーバ２は、地図情報データベース４に記録された地図情報と、調査員に関する情報とを対応させて記録する調査員情報データベース（調査員情報記録手段の一例である。）５を有する。ここで、調査員に関する情報とは、例えば、調査員の氏名、携帯電話番号、調査予定地域、調査予定日、および調査期日である。
また、管理サーバ２は、地図情報データベース４に記録された地図情報を、調査用端末３に送信する地図情報送信手段６を有する。
また、管理サーバ２は、調査用端末３から送信された調査結果情報と、調査員情報データベース５に記録された調査員情報とを対応させて記録する調査結果情報データベース（調査結果情報記録手段の一例である。）７を有する。
【００１７】
また、管理サーバ２は、調査用端末３から送信された調査結果情報を、所定の基準に照らして検証する（例えば、法律上設置できないような位置に道路交通標識の位置を特定していないかどうかを検証する）検証手段を有することができる。
また、管理サーバ２は、検証の結果、「不可」となった調査結果情報を調査用端末３へ送り返す手段や、「可」となった調査結果情報を調査依頼主へ納品するための納品用データに加工入力する加工入力手段を有することができる。
また、管理サーバ２とは別のサーバに、上記のような検証手段や加工入力手段の機能を備えさせ、別のサーバに、調査結果情報の検証や、納品のための加工入力をさせてもよい。
また、管理サーバ２は、調査依頼件数、調査依頼日付、調査件数、及び納品件数などを記録して、作業実績を収集することができる。
【００１８】
また、調査用端末３は、全地球測位システム（Ｇｌｏｂａｌ  Ｐｏｓｉｔｉｏｎｉｎｇ  Ｓｙｓｔｅｍ＝ＧＰＳ）機能を有し、管理サーバ２の調査員情報データベース５は、調査用端末３から取得した調査用端末３の時間ごとの位置情報を記録する。
また、調査用端末３は、地図情報送信手段６によって送信された地図情報と、現場の情報（例えば、道路交通標識の種類、道路交通標識の実際の位置、道路交通標識の撮像画像情報）とに基づいて調査結果情報を作成する調査結果情報作成手段８を有する。また、道路交通標識の撮像画像情報は、デジタルカメラなどで道路交通標識を撮像することで得ることができ、得られた撮像画像情報が調査用端末３へ取込まれる。なお、調査用端末３がカメラ機能を備え、調査用端末３のカメラ機能によって道路交通標識を撮像してもよい。
また、調査用端末３の時間ごとの位置情報は、道路交通標識を撮像した時間と対応するので、道路交通標識の撮像画像情報は、調査結果情報の地図の対応する位置に反映される。
具体的には例えば、調査結果情報は、地図に、道路交通標識を示す記号や撮像画像情報が、実際の位置と対応する位置に反映された情報である。
また、調査用端末３は、調査結果情報作成手段８によって作成された調査結果情報を管理サーバ２に送信する調査結果情報送信手段９を有する。
【００１９】
ここで、管理サーバが、地図情報を記録する地図情報記録手段と、地図情報記録手段に記録された地図情報と、調査員に関する情報とを対応させて記録する調査員情報記録手段と、地図情報記録手段に記録された地図情報を、調査員が携帯する調査用端末に送信する地図情報送信手段と、調査用端末から送信された調査結果情報と、調査員情報記録手段に記録された調査員情報とを対応させて記録する調査結果情報記録手段を有していれば、必ずしも調査用端末は、ＧＰＳ機能を有さなくてもよく、また、管理サーバの調査員情報データベースは、調査用端末から取得した調査用端末の時間ごとの位置情報を記録しなくてもよく、また、道路交通標識の撮像画像情報がなくてもよく、また、調査用端末の時間ごとの位置情報は、道路交通標識を撮像した時間と対応していなくてもよい。
しかし、調査用端末は、ＧＰＳ機能を有し、また、管理サーバの調査員情報データベースは、調査用端末から取得した調査用端末の時間ごとの位置情報を記録し、また、道路交通標識の撮像画像情報があり、また、調査用端末の時間ごとの位置情報は、道路交通標識を撮像した時間と対応していれば、調査員の足どりを管理できると共に、道路交通標識の撮像画像情報を、調査結果情報の地図の対応する位置に反映させることができるので好ましい。
【００２０】
次に、本発明の現場調査支援システムによる調査の流れを、図２〜図４を参照して説明する。
図２は、本発明の現場調査支援システムによる調査の流れの一例を説明する概略図である。また、図３は、本発明の現場調査支援システムの管理サーバに記録された地図情報の一例を説明する概略図である。また、図４は、本発明の現場調査支援システムの調査員情報データベースに記録された情報の一例を説明する概略図である。
【００２１】
図４に示すように、調査員情報データベース５は、所定の範囲の単位エリア１０Ａごとに区分けされた地図情報１０の単位エリア１０Ａと、調査員が調査する現場とを対応して記録、すなわち単位エリア１０Ａと、そのエリアを調査する調査員の情報（例えば名前）とを対応させて記録する。
また、図３に示すように、地図情報データベースに記録された地図情報１０は、所定の範囲の単位エリア１０Ａごとに区分けされており、管理サーバ２から、例えば調査員○△が携帯する調査用端末３に、調査員○△が担当する調査対象地域の地図情報（単位エリア１０Ａ）を送信する（ステップＳ１）。このとき、地図情報は、調査対象に関する情報すなわち道路交通標識の位置や道路交通標識の種類を含んでいる。また、管理サーバ２は、調査用端末３から要求された地域の地図情報を調査用端末３に送信するようにしてもよい。
【００２２】
次に、調査対象地域に到着した調査員は、送信された地図情報に示された道路交通標識の位置や種類が正しいかどうかを、地図情報と現場を照合して確認する（ステップＳ２）。そして、正しくない場合、調査員は、調査が可能であれば、道路交通標識を撮像して得た撮像画像情報と、道路交通標識の正しい位置や種類とを、送信された地図情報に入力して調査結果情報を作成する（ステップＳ３）。
また、調査不能であれば、「調査不能」である旨を調査結果情報として調査用端末３から管理サーバ２へ送信する（ステップＳ４）。また、正しければ、「既存データどおり」である旨を調査結果情報として調査用端末３から管理サーバ２へ送信する（ステップＳ４）。
そして、管理サーバ２は、調査用端末３から送信された調査結果情報と、調査員情報とを対応させて記録する（ステップＳ５）。このとき、調査結果情報データベース７は、調査結果情報を、「既存データどおり」、「更新」、「調査不能」というように自動的に振り分けて種類別に記録する。
【００２３】
また、単位エリア１０Ａごとに調査の進捗状況に応じて色分けして記録するなどすれば、さらに進捗を管理しやすくなる。
また、調査用端末３はＧＰＳ機能を有しているので、調査員は、ＧＰＳ機能を利用して自分の位置を知ることができ、よって、自分の位置から道路交通標識の位置までの方角などを把握でき、目的とする道路交通標識に辿り着きやすくなる。
また、ＧＰＳ機能によって調査員の軌跡情報が残るので、過去に調査員が行った現場が判り、重複調査を回避できると共に、軌跡情報を管理業務に使うことができる。
【００２４】
ここで、管理サーバが、地図情報を記録する地図情報記録手段と、地図情報記録手段に記録された地図情報と、調査員に関する情報とを対応させて記録する調査員情報記録手段と、地図情報記録手段に記録された地図情報を、調査員が携帯する調査用端末に送信する地図情報送信手段と、調査用端末から送信された調査結果情報と、調査員情報記録手段に記録された調査員情報とを対応させて記録する調査結果情報記録手段を有していれば、必ずしも調査結果情報データベースは、調査結果情報を種類別に記録しなくてもよい。
しかし、調査結果情報データベースが調査結果情報を種類別に記録すれば、調査結果情報を仕分ける負担が軽減されるので好ましい。
【００２５】
また、管理サーバが、地図情報を記録する地図情報記録手段と、地図情報記録手段に記録された地図情報と、調査員に関する情報とを対応させて記録する調査員情報記録手段と、地図情報記録手段に記録された地図情報を、調査員が携帯する調査用端末に送信する地図情報送信手段と、調査用端末から送信された調査結果情報と、調査員情報記録手段に記録された調査員情報とを対応させて記録する調査結果情報記録手段を有していれば、必ずしも送信された地図情報は道路交通標識の位置や道路交通標識の種類を含んでいなくてもよい。
しかし、送信された地図情報が道路交通標識の位置や道路交通標識の種類を含んでいれば、地図情報と現場とを照合して、送信された地図情報に示された道路交通標識の位置や種類が正しければ、調査員が調査用端末を用いて地図情報を修正する必要がないので、作業負担を軽減でき、好ましい。
【００２６】
また、管理サーバが、地図情報を記録する地図情報記録手段と、地図情報記録手段に記録された地図情報と、調査員に関する情報とを対応させて記録する調査員情報記録手段と、地図情報記録手段に記録された地図情報を、調査員が携帯する調査用端末に送信する地図情報送信手段と、調査用端末から送信された調査結果情報と、調査員情報記録手段に記録された調査員情報とを対応させて記録する調査結果情報記録手段を有していれば、必ずしも地図情報は、所定の範囲の単位エリアごとに区分けされていなくてもよく、また、調査員情報データベースは、単位エリアと、調査員が調査する現場とを対応して記録しなくてもよい。
しかし、地図情報が所定の範囲の単位エリアごとに区分けされ、調査員情報データベースは、単位エリアと、調査員が調査する現場とを対応して記録していれば、単位エリアごとに管理を行なうことができ、好ましい。
【００２７】
以上のように、本発明の現場調査支援システムは、管理サーバの調査員情報データベースが、地図情報データベースに記録された地図情報と、調査員に関する情報例えば、調査員の氏名、携帯電話番号、調査予定地域、調査予定日、および調査期日とを対応させて記録するので、調査員のスケジュール管理を行ないやすい。特に、管理サーバの調査員情報データベースは、所定の範囲の単位エリアごとに区分けされた地図情報の単位エリアと、そのエリアを調査する調査員の情報（名前）とを対応させて記録するので、どの調査員がどのエリアを調査済みで、次はどのエリアを調査するか、というように、単位エリアごとにスケジュール管理を行なうことができる。
また、管理サーバが、調査用端末から送信された調査結果情報と、調査員情報データベースに記録された調査員情報とを対応させて記録するので、調査の進捗管理を行ないやすい。
よって、従来の紙を用いた調査に比べて、現場調査を効率よく行うことができる。
【００２８】
また、調査用端末の時間ごとの位置情報は、道路交通標識を撮像した時間と対応するので、道路交通標識の撮像画像情報は、調査結果情報の地図の対応する位置に反映され、よって、より詳細であると共に高精度の調査結果情報を得ることができる。
また、道路交通標識の撮像画像情報は、調査員が実際に調査したという証拠にもなり得るので、調査員の評価を行なう上で有益である。
【符号の説明】
【００２９】
１    現場調査支援システム
２    管理サーバ
３    調査用端末
４    地図情報データベース
５    調査員情報データベース
６    地図情報送信手段
７    調査結果情報データベース
８    調査結果情報作成手段
９    調査結果情報送信手段
１０    地図情報
１０Ａ  単位エリア
【図１】
2011060074.tif 000003
【図２】
2011060074.tif 000004
【図３】
2011060074.tif 000005
【図４】
2011060074.tif 000006
【図５】
2011060074.tif 000007